(57)【要約】【課題】非接触ボタンの操作の認識が行われる前に利用者の手の位置の認識状態を利用者が知ることができ、手の位置を目的のボタン操作として認識されることができる位置へと的確に誘導することが可能であるエレベーターの行先階登録装置を提供する。【解決手段】エレベーターの行先階登録装置において、操作盤１に設けられ、操作されることにより所定の行先階登録を行うための複数の押しボタン２と、操作盤に接近する利用者の手等の物体と複数の押しボタンそれぞれとの間の距離を検出する距離測定手段３と、距離測定手段により検出された物体と押しボタンとの間の距離に基づいて、押しボタンに物体が接触しなくとも行先階登録を行う制御手段と、距離測定手段により検出された物体と押しボタンとの間の距離に基づいて、押しボタンそれぞれに対する物体の検出状態を利用者に提示する検出状態提示手段４と、を備える。【選択図】図１
2011162307.tif 000002
【特許請求の範囲】
【請求項１】
エレベーターの設備に備えられた操作盤に設けられ、操作されることにより所定の行先階登録を行うための複数の押しボタンと、
前記操作盤に接近する利用者の手等の物体と複数の前記押しボタンそれぞれとの間の距離を検出する距離測定手段と、
前記距離測定手段により検出された前記物体と前記押しボタンとの間の距離に基づいて、前記押しボタンに前記物体が接触しなくとも前記行先階登録を行う制御手段と、
前記距離測定手段により検出された前記物体と前記押しボタンとの間の距離に基づいて、前記押しボタンそれぞれに対する前記物体の検出状態を利用者に提示する検出状態提示手段と、を備えたことを特徴とするエレベーターの行先階登録装置。
【請求項２】
前記制御手段は、前記距離測定手段により検出された前記物体と前記押しボタンとの間の距離に基づいて、前記物体との間の距離が最も近い前記押しボタンのうち、最後に前記物体との間の距離が所定の第１のしきい値を下回った前記押しボタンを仮登録にし、全ての前記押しボタンと前記物体との間の距離が前記第１のしきい値より遠い所定の第２のしきい値を上回ると、前記仮登録の前記押しボタンを本登録に確定して、この本登録の前記押しボタンに対応する前記行先階登録を行うことを特徴とする請求項１に記載のエレベーターの行先階登録装置。
【請求項３】
前記検出状態提示手段は、前記押しボタンのそれぞれに設けられた発光手段を有し、各前記押しボタンの前記発光手段の発光状態を変化させることにより、前記押しボタンそれぞれに対する前記物体の検出状態を利用者に提示することを特徴とする請求項１又は請求項２のいずれかに記載のエレベーターの行先階登録装置。
【請求項４】
前記制御手段は、前記押しボタンが直接接触されて押下されると、この押下された前記押しボタンに対応する行先階呼び登録を、前記押しボタンに接触しない操作による前記行先階登録に優先して行うことを特徴とする請求項１から請求項３のいずれかに記載のエレベーターの行先階登録装置。
【発明の詳細な説明】
【技術分野】
【０００１】
この発明は、エレベーターの行先階登録装置に関するものである。
【背景技術】
【０００２】
従来におけるエレベーターの行先階登録装置においては、一般者用の乗場ボタンと同一操作盤上に身体障害者専用の非接触式の入力装置を配置したものとして、かご又は乗場に設けられた操作盤に配設された一般者用の押しボタンと、この押しボタンの近傍において操作盤に配設され身体障害者側の発信手段から発生する音波又は光波の呼びの信号を入力する非接触式の入力装置と、この入力装置に呼びの信号の入力の有無を識別する識別装置と、を備えたものが知られている（例えば、特許文献１参照）。
【０００３】
また、非接触式の呼びボタンとしては、超音波や光によるセンサを用いて利用者の手等の位置を認識してボタンに直接に接触することなくボタン操作を行うことができるものも、従来において知られている。
【先行技術文献】
【特許文献】
【０００４】
【特許文献１】特開昭６２−２３５１７５号公報
【発明の概要】
【発明が解決しようとする課題】
【０００５】
しかしながら、従来における非接触式のエレベーターの行先階登録装置においては、センサが利用者の手等をどこにあるものとして認識しているかが利用者には分からないため、利用者は、手等の位置がセンサにより思ったように認識されず自身が望むボタン操作が行われない場合等において、手等の位置をどのように動かせばよいのか（自身が望むボタン操作が行われるのか）を知ることができず、所望の認識・ボタン操作がなされるまで勘や当てずっぽうで手等の位置を動かさなくてはならず、煩雑であって利便性が低下してしまうという課題がある。
【０００６】
この発明は、このような課題を解決するためになされたもので、非接触式のボタンを用いて行先階登録を行うものであって、ボタン操作の認識が行われる前においても利用者の手等の位置の認識状態を利用者が知ることができ、利用者の手等の位置を目的のボタン操作として認識されることができる位置へと的確に誘導することが可能であるエレベーターの行先階登録装置を得るものである。
【課題を解決するための手段】
【０００７】
この発明に係るエレベーターの行先階登録装置においては、エレベーターの設備に備えられた操作盤に設けられ、操作されることにより所定の行先階登録を行うための複数の押しボタンと、前記操作盤に接近する利用者の手等の物体と複数の前記押しボタンそれぞれとの間の距離を検出する距離測定手段と、前記距離測定手段により検出された前記物体と前記押しボタンとの間の距離に基づいて、前記押しボタンに前記物体が接触しなくとも前記行先階登録を行う制御手段と、前記距離測定手段により検出された前記物体と前記押しボタンとの間の距離に基づいて、前記押しボタンそれぞれに対する前記物体の検出状態を利用者に提示する検出状態提示手段と、を備えた構成とする。
【発明の効果】
【０００８】
この発明に係るエレベーターの行先階登録装置においては、非接触式のボタンを用いて行先階登録を行うものであって、ボタン操作の認識が行われる前においても利用者の手等の位置の認識状態を利用者が知ることができ、利用者の手等の位置を目的のボタン操作として認識されることができる位置へと的確に誘導することが可能であるという効果を奏する。
【図面の簡単な説明】
【０００９】
【図１】この発明の実施の形態１に係るエレベーターの行先階登録装置の操作前のボタンの状態を示す図である。
【図２】この発明の実施の形態１に係るエレベーターの行先階登録装置の操作前の各ボタンの検出距離を示す図である。
【図３】この発明の実施の形態１に係るエレベーターの行先階登録装置の利用者の手が接近し始めたときのボタンの状態を示す図である。
【図４】この発明の実施の形態１に係るエレベーターの行先階登録装置の利用者の手が接近し始めたときの各ボタンの検出距離を示す図である。
【図５】この発明の実施の形態１に係るエレベーターの行先階登録装置の利用者の手が十分接近したときのボタンの状態を示す図である。
【図６】この発明の実施の形態１に係るエレベーターの行先階登録装置の利用者の手が十分接近したときの各ボタンの検出距離を示す図である。
【図７】この発明の実施の形態１に係るエレベーターの行先階登録装置の利用者の手が離間し始めたときのボタンの状態を示す図である。
【図８】この発明の実施の形態１に係るエレベーターの行先階登録装置の利用者の手が離間し始めたときの各ボタンの検出距離を示す図である。
【図９】この発明の実施の形態１に係るエレベーターの行先階登録装置の利用者の手が十分離間したときのボタンの状態を示す図である。
【図１０】この発明の実施の形態１に係るエレベーターの行先階登録装置の利用者の手が十分離間したときの各ボタンの検出距離を示す図である。
【発明を実施するための形態】
【００１０】
この発明を添付の図面に従い説明する。各図を通じて同符号は同一部分又は相当部分を示しており、その重複説明は適宜に簡略化又は省略する。
【００１１】
実施の形態１．
図１から図１０は、この発明の実施の形態１に係るもので、図１はエレベーターの行先階登録装置の操作前のボタンの状態を示す図、図２はエレベーターの行先階登録装置の操作前の各ボタンの検出距離を示す図、図３はエレベーターの行先階登録装置の利用者の手が接近し始めたときのボタンの状態を示す図、図４はエレベーターの行先階登録装置の利用者の手が接近し始めたときの各ボタンの検出距離を示す図、図５はエレベーターの行先階登録装置の利用者の手が十分接近したときのボタンの状態を示す図、図６はエレベーターの行先階登録装置の利用者の手が十分接近したときの各ボタンの検出距離を示す図、図７はエレベーターの行先階登録装置の利用者の手が離間し始めたときのボタンの状態を示す図、図８はエレベーターの行先階登録装置の利用者の手が離間し始めたときの各ボタンの検出距離を示す図、図９はエレベーターの行先階登録装置の利用者の手が十分離間したときのボタンの状態を示す図、図１０はエレベーターの行先階登録装置の利用者の手が十分離間したときの各ボタンの検出距離を示す図である。
【００１２】
図において１はエレベーターの設備に備えられ、利用者が操作することにより所望の行先階への呼び登録を行うための操作盤である。この操作盤１は、エレベーターの乗場及びかご内のいずれに設置されてもよいし、もちろんこれらの両方に設置されてもよい。
操作盤１には、直接接触して押下されることにより操作される通常の押しボタンの機能に加えて、直接に接触せずとも操作することができる非接触ボタンの機能を兼ね備えた押しボタン２が設けられている。
【００１３】
押しボタン２は、当該エレベーターの行先階として呼び登録が可能である階床のそれぞれに対応して複数設けられている。そして、利用者がこれらのうちのある押しボタン２を操作すると、操作された押しボタン２に対応する階床を行先階とする呼びが登録されるようになっている。
ここでは、例えば、行先階として呼び登録が可能である階床は１階から６階までの６つであるとし、これに対応して、前面に「１」から「６」までの数字がそれぞれ表示された６つの押しボタン２が設けられているとする。
【００１４】
操作盤１には、利用者の手等、操作盤１に接近する物体と操作盤１の各押しボタン２それぞれとの間の距離を測定する距離測定手段３が設けられている。
この距離測定手段３は、例えば、音波（超音波）、赤外線等の光や、２個以上のカメラを用いて得られる視差画像等を利用して構成することができる。
【００１５】
そして、操作盤１には、距離測定手段３により検出された操作盤１に接近する物体（利用者の手等）と各押しボタン２それぞれとの間の距離に基づいて、各押しボタン２に対する当該物体の検出状態を利用者へと提示する検出状態提示手段４が設けられている。
ここでは、この検出状態提示手段４は、各押しボタン２のそれぞれに内蔵され、距離測定手段３により検出された物体と各押しボタン２それぞれとの間の距離、及び、行先階の登録状態に基づいて、発光状態を変化させるように構成されている。
【００１６】
なお、検出状態提示手段４は、各押しボタン２にそれぞれ内蔵された発光素子を利用して構成してもよく、操作盤１の前面に設けた例えば液晶ディスプレイ（ＬＣＤ）に各押しボタン２を表示することにより構成してもよく、また、操作盤１の前面に光を投影することにより構成するようにしてもよい。
【００１７】
操作盤１の各押しボタン２に対して利用者の手等の物体が接近した際における行先階登録動作は、図示しない行先階登録制御手段により制御されている。
この行先階登録制御手段は、操作盤１に接近する物体と各押しボタン２それぞれとの間の距離に関して２つのしきい値を有しており、すなわち、行先階の仮登録を行うための比較的に近い（小さい）所定の距離に設定された第１のしきい値５と、この第１のしきい値５よりも遠い（大きい）所定の距離に設定され、行先階の仮登録を本登録に確定するための第２のしきい値６である。
【００１８】
行先階登録制御手段は、距離測定手段３により検出された操作盤１に接近する物体と各押しボタン２それぞれとの間の距離に基づいて、物体との距離が最も近い押しボタン２のうち、最後に第１のしきい値５を下回った押しボタン２を仮登録の状態にする。
そして、仮登録の押しボタン２がある状態で全ての押しボタン２と物体との距離が第２のしきい値６を上回ると、当該仮登録がなされた押しボタン２の仮登録を本登録に確定する。
【００１９】
本登録に確定されると、当該本登録に確定された押しボタン２に対応する階床を行先階とする呼び登録がなされる。
また、押しボタン２は前述のごとく直接接触して押下されることにより操作される通常の押しボタンの機能も有しており、利用者の手等の物体が直接押しボタン２に接触してこれを押下した場合には、行先階登録制御手段は、この押下された押しボタン２に対応する階床を行先階とする呼び登録を行う。
この押しボタン２の押下による行先階呼び登録は、前述した非接触による行先階呼び登録に優先する。
【００２０】
検出状態提示手段４は、この一連の呼び登録操作において、距離測定手段３により検出された物体との距離に応じて、物体との距離が近い押しボタン２ほど明るく光るように例えば押しボタン２に内蔵された発光手段である発光素子の光量を調節する。
そして、行先階登録制御手段により押しボタン２の仮登録がなされると、この仮登録がなされた押しボタン２を点滅発光させるとともに、本登録され行先階呼び登録がなされると、この呼び登録の行先階に対応する押しボタン２が最も明るく光るように例えば当該押しボタン２に内蔵された発光手段を最大光量とする。
【００２１】
このように構成されたエレベーターの行先階登録装置においては、操作盤１の操作前であって操作盤１の周囲に利用者の手等の物体がなく、かつ、いずれの行先階呼び登録がなされていない状態では、図２に示すように距離測定手段３により検出される物体と各押しボタン２との距離はいずれも最大となり、検出状態提示手段４は各押しボタン２の発光状態が最も暗くなるようにする（図１）。
【００２２】
利用者の手が操作盤１に接近し始め、距離測定手段３により検出される利用者の手と各押しボタン２との距離が例えば図４に示すようになると、手との距離が最も近い「４」の押しボタン２においても手との距離が第１のしきい値５を下回ってはいない状態であるため、まだ仮登録がなされる押しボタン２はない。
そこで、検出状態提示手段４は、距離測定手段３による検出結果に基づいて、手との距離が近い押しボタン２ほど明るく光るように、すなわち、手との距離が最も近い「４」の押しボタン２が相対的に最も明るく、手との距離が最も遠い「５」の押しボタン２が相対的に最も暗くなるように、各押しボタン２の発光状態を制御する（図３）。
【００２３】
利用者の手がさらに操作盤１に接近し十分近づき、距離測定手段３により検出される利用者の手と各押しボタン２との距離が例えば図６に示すようになると、「２」及び「４」の押しボタン２について手との距離が第１のしきい値５を下回っており、行先階登録制御手段は、このうち手との距離が最も近い「４」の押しボタン２（手との距離が最も近い押しボタン２は「４」の１つのみであるのでこの「４」の押しボタン２が最後に第１のしきい値５を下回った押しボタン２である）を仮登録された状態とする。
すると、検出状態提示手段４は、この仮登録された「４」の押しボタン２を点滅発光させるとともに、この点滅発光させる「４」の押しボタン２以外の押しボタン２については、距離測定手段３による検出結果に基づき手の位置変化に応じて手との距離が近い押しボタン２ほど明るく光るように各押しボタン２の発光状態を制御する（図５）。
なお、この際、利用者の手は押しボタン２には接触していない。
【００２４】
利用者の手が操作盤１から離間し始め、距離測定手段３により検出される利用者の手と各押しボタン２との距離が例えば図８に示すようになると、いずれの押しボタン２についても手との距離が第１のしきい値５を上回っている状態となり、かつ、「２」及び「４」の押しボタン２の手との距離はまだ第２のしきい値６を下回った状態であって、全ての押しボタン２が第２のしきい値６を上回った状態ではないため本登録には確定されず、この「４」の押しボタン２が仮登録された状態が維持される。
従って、検出状態提示手段４は、仮登録された「４」の押しボタン２の点滅発光状態を維持するとともに、この点滅発光させる「４」の押しボタン２以外の押しボタン２については、距離測定手段３による検出結果に基づき手の位置変化に応じて手との距離が近い押しボタン２ほど明るく光るように各押しボタン２の発光状態を制御する（図７）。
【００２５】
利用者の手がさらに操作盤１から離間し十分遠ざかり、距離測定手段３により検出される利用者の手と各押しボタン２との距離が例えば図１０に示すようになると、いずれの押しボタン２についても手との距離が第２のしきい値６を上回っている状態となる。
従って、行先階登録制御装置は「４」の押しボタン２の仮登録を本登録に確定し、本登録に確定された「４」の押しボタン２に対応する階床である４階を行先階とする呼び登録がなされる。
【００２６】
また、これに伴い、検出状態提示手段４は、本登録に確定され呼び登録がなされた４階に対応する「４」の押しボタン２を最も明るく光らせるべく最大光量になるよう制御する。他の押しボタン２については、物体との距離はいずれも最大であるため発光状態が最も暗くなるように制御される。
そして、登録された呼び登録に応答してエレベーターが行先階である４階へと走行される。
【００２７】
なお、検出状態提示手段４は、距離測定手段３により検出された物体との距離に応じた各押しボタン２が光る明るさを、連続的な階調として変化させてもよいし、所定の階調数に区切って各押しボタン２の明るさを段階的に変化させるようにしてもよい。
【００２８】
以上のように構成されたエレベーターの行先階登録装置は、エレベーターの設備に備えられた操作盤に設けられ、操作されることにより所定の行先階登録を行うための複数の押しボタンと、操作盤に接近する利用者の手等の物体と複数の押しボタンそれぞれとの間の距離を検出する距離測定手段と、距離測定手段により検出された物体と押しボタンとの間の距離に基づいて、押しボタンに物体が接触しなくとも行先階登録を行う制御手段と、距離測定手段により検出された物体と押しボタンとの間の距離に基づいて、押しボタンそれぞれに対する物体の検出状態を利用者に提示する検出状態提示手段と、を備えたものである。
【００２９】
このため、非接触式のボタンを用いて行先階登録を行うものであって、ボタン操作の認識が行われる前においても利用者の手等の位置の認識状態を利用者が知ることができ、利用者の手等の位置を目的のボタン操作として認識されることができる位置へと的確に誘導することが可能であり、利用者は装置の提示するフィードバック情報を手がかりに、手をどの位置でどこまで近づければよいかを的確に把握でき、スムーズに非接触式のボタンを操作することができる。
【００３０】
また、制御手段は、距離測定手段により検出された物体と押しボタンとの間の距離に基づいて、物体との間の距離が最も近い押しボタンのうち、最後に物体との間の距離が所定の第１のしきい値を下回った押しボタンを仮登録にし、全ての押しボタンと物体との間の距離が第１のしきい値より遠い所定の第２のしきい値を上回ると、仮登録の押しボタンを本登録に確定して、この本登録の押しボタンに対応する行先階登録を行うものであるため、利用者が非接触で押しボタンを操作する際の誤認識の可能性を低下させ、より的確に行先階登録を行うことができる。
【００３１】
また、検出状態提示手段は、押しボタンのそれぞれに設けられた発光手段（発光素子）を有し、各押しボタンの発光手段の発光状態を変化させることにより、押しボタンそれぞれに対する物体の検出状態を利用者に提示するものであるため、利用者は自身の手の位置の検出状態を視覚的に把握することが可能である。
【００３２】
そして、制御手段は、押しボタンが直接接触されて押下されると、この押下された押しボタンに対応する行先階呼び登録を、押しボタンに接触しない操作による行先階登録に優先して行うものであるため、押しボタンが押下された場合にはその登録を非接触動作より優先することで、押しボタンとしても利用することができ、利用者の好みに合わせて動作を選択することが可能である。
【符号の説明】
【００３３】
１    操作盤
２    押しボタン
３    距離測定手段
４    検出状態提示手段
５    第１のしきい値
６    第２のしきい値
【図１】
2011162307.tif 000003
【図２】
2011162307.tif 000004
【図３】
2011162307.tif 000005
【図４】
2011162307.tif 000006
【図５】
2011162307.tif 000007
【図６】
2011162307.tif 000008
【図７】
2011162307.tif 000009
【図８】
2011162307.tif 000010
【図９】
2011162307.tif 000011
【図１０】
2011162307.tif 000012